(57)【要約】【課題】  環状フレームに対して網がずれにくく、製造も簡単に行え、経年変化の影響も起きにくい玉網を提供する。【解決手段】  袋状の網本体(20)と、その網本体(20)の開口縁へ形成した多数の吊り輪部(21,21,21,・・・)を貫通するライナー(30)と、そのライナー(30)を固定する環状フレーム(10)と、を備えた玉網である。  前記の環状フレーム(10)は、長手方向に垂直な断面形状が網本体(20)側を開放した挿入口(11)を備えるとともに、その挿入口(11)から連続して網本体(20)の内側に向かう凹部(12)を備える。  挿入口(11)における開口寸法は、前記のライナー(30)における長手方向に垂直な断面形状における最小寸法よりも大きく形成する。  凹部(12)は、前記のライナー(30)を収納可能であるように形成する。【選択図】  図３
2014193130.tif 000002
【特許請求の範囲】
【請求項１】
袋状の網本体と、その網本体の開口縁へ形成した多数の吊り輪部を貫通するライナーと、そのライナーを固定する環状フレームと、を備える玉網であって、
前記の環状フレームは、長手方向に垂直な断面形状が網本体側を開放した開口を備えるとともに、その開口から連続して網本体の内側に向かう凹部を備え、
前記の挿入口における開口寸法は、前記のライナーにおける長手方向に垂直な断面形状における最小寸法よりも大きく形成し、
その凹部は、吊り輪部を貫通したライナーを収納可能であるように形成した玉網。
【請求項２】
袋状の網本体と、その網本体の開口縁へ形成した多数の吊り輪部を貫通するライナーと、そのライナーを固定する環状フレームと、を備える玉網であって、
前記の環状フレームは、長手方向に垂直な断面形状が網本体側を開放した挿入口を備えるとともに、その挿入口が形成した空間の内側の面には環状フレームの長手方向に沿って多数の凹凸部を備え、
その凹凸部は、環状フレームに固定されたライナーおよび吊り輪部に接触して動きにくくするような形状として形成した玉網。
【請求項３】
前記のライナーには、前記の環状フレームの凹部に収納された状態でライナーの弛みを取る締め上げ具を備えた請求項１または請求項２のいずれかに記載の玉網。
【請求項４】
前記のライナーの長手方向に凸部を多数設けることとした請求項１から請求項３のいずれかに記載の玉網。
【発明の詳細な説明】
【技術分野】
【０００１】
本発明は、本発明は、魚釣り、昆虫採集などの際に魚や昆虫などの生き物を捕らえるために使用する網、例えば玉網の技術に関する。
【背景技術】
【０００２】
たとえば、魚釣りにおいて釣り針に掛かった魚をすくい上げるためには、特許文献１に開示されたような玉網を用いる。
この特許文献１に開示された玉網は、袋状をなす網の開口縁へ形成した多数の吊り輪部（最上端縁；網と同じ材質の糸であることが多い）を金属製のリング（環状フレーム）へ通すことで形成している。  このような玉網は簡単な構造である一方、吊り輪部が消耗しやすい、網全体がリングに対してずれやすい、といった欠点があった。
【０００３】
特許文献２に開示された玉網は、特許文献１に開示された玉網の欠点を改良し、環状フレームの外側に吊り輪部を位置させず、製作も簡易に行える、というものである。
その目的を達成するため、網の吊り輪部（最上端縁）に芯材を貫通させ、それを下側に凹溝を備えた環状フレームの凹溝へ挿入し、弾性部材を差し込むことで網を環状フレームへ固定する。
【先行技術文献】
【特許文献】
【０００４】
【特許文献１】特開平６−３０６７８公報
【特許文献２】実用新案登録第３１４４５８３号公報
【発明の概要】
【発明が解決しようとする課題】
【０００５】
特許文献１に開示された玉網の欠点を改善した特許文献２に開示された技術は、弾性部材の存在が別の欠点を生じさせることとなっていた。
すなわち、弾性部材が存在することで、弾性部材が存在しない玉網とはバランスが異なってしまうのである。そのため、同じ使用感を出すためには、他の部位の設計変更を余儀なくされる。また、その新たな玉網にユーザが慣れることを強要することとなる。
【０００６】
弾性部材が存在する影響を小さくするために軽い素材を採用しようとすると、発泡樹脂、発泡ゴムなどが相応しい。しかし、発泡樹脂、発泡ゴムなどで弾性部材を形成すると、経年劣化が起こりやすい。弾性部材が経年劣化すると、環状フレームから網が外れてしまうという事態が生じやすくなってしまう。
【０００７】
特許文献１および２には開示されていないが、玉網の吊り輪部に針金やコイルスプリングの芯材を貫通させ、環状フレームの長手方向に形成したアリ溝へ、玉網の吊り輪部を吊り下げた芯材を環状フレームの長手方向の端部（円形の切れ目であって取っ手金具との接続部）から差し込む、という構造の玉網も現行品として存在している。
しかし、この構造は、玉網の製造、特に玉網の吊り輪部を吊り下げた芯材の差し込み作業に手間が掛かるという問題があった。
【０００８】
本発明が解決しようとする課題は、環状フレームに対して網がずれにくく、製造も簡単に行え、経年変化の影響も起きにくい玉網を提供することにある。
【課題を解決するための手段】
【０００９】
（第一の発明）
第一の発明は、袋状の網本体(20)と、その網本体(20)の開口縁へ形成した多数の吊り輪部(21,21,21,・・・)を貫通するライナー(30)と、そのライナー(30)を固定する環状フレーム(10)と、を備える玉網に係る。
前記の環状フレーム(10)は、長手方向に垂直な断面形状が網本体(20)側（図２における下方側）を開放した挿入口(11)を備えるとともに、その挿入口(11)から連続して網本体(20)の内側（図２における右上側）に向かう凹部(12)を備える。
前記の挿入口(11)における開口寸法は、前記のライナー(30)における長手方向に垂直な断面形状における最小寸法よりも大きく形成し、  前記の凹部(12)は、吊り輪部(21,21,21,・・・)を貫通したライナー(30)を収納可能であるように形成する。
【００１０】
（用語説明）
「玉網」は、代表的には魚釣りに用いるが、昆虫の採集、浮遊物の回収などに使用する網であってもよい。
「ライナー(30)」については、他の請求項で限定するほか、弾性体による紐体や帯体であってもよい。
凹部(12)は、吊り輪部(21,21,21,・・・)を貫通するライナー(30)を支持できればよい。後述する実施形態にて示すように、環状フレーム(10)の長手方向に連続な「条」によって形成する場合のほか、複数の不連続な突起などでもよい。
【００１１】
（作用）
網本体(20)の開口縁へ形成した多数の吊り輪部(21,21,21,・・・)に対しては、ライナー(30)を貫通させる。網本体(20)を吊り下げたライナー(30)を環状フレーム(10)の挿入口(11)から挿入し、凹部(12)へ移動させる。  網本体(20)を吊り下げたライナー(30)を環状フレーム(10)の長手方向の端部から挿入する場合に比べて、製造は簡単である。
凹部(12)へ収納されたライナー(30)は、凹部(12)へ留まろうとするので、環状フレーム(10)に対して網本体(20)がずれにくい。  また、吊り輪部(21,21,21,・・・)において、外力が掛かる部位が環状フレーム(10)に守られているので、経年変化の影響も起きにくい。
【００１２】
（第一の発明のバリエーション１）
第一の発明について、  前記のライナー(30)には、環状フレーム(10)の凹部(12)に収納された状態でライナー(30)の弛みを取る締め上げ具(35)を備えると、より好ましい。
【００１３】
（作用）
締め上げ具(35)によって、環状フレーム(10)の凹部(12)に収納された状態でライナー(30)の弛みを取る。すると、凹部(12)へ収納されたライナー(30)は、凹部(12)へ押し付けられ、環状フレーム(10)に対して網本体(20)がずれにくくなる。
【００１４】
（第一の発明のバリエーション２）
第一の発明について、前記のライナー(30)には、その長手方向に凹凸を存在させることとすると、より好ましい。
具体的なライナー(30)および締め上げ具(35)としては、たとえば結束バンド（ケーブルタイ＝cable tie）である。ただし、結束バンドのようにライナー(30)および締め上げ具(35)が一体である必要はない。たとえば、締め上げ具をＶ字形（またはＵ字形）の金具とし、その金具をライナーに挟んで変形させる、というようにしてもよい。
【００１５】
（作用）
ライナー(30)の溝には、網本体(20)の吊り輪部(21,21,21,・・・)がそれぞれ噛み合う。そのため、吊り輪部(21,21,21,・・・)がライナー(30)に対して動きにくくなり、ライナー(30)は環状フレーム(10)に対して動きにくいので、網本体(20)が環状フレーム(10)に対して動きにくいこととなる。そのため、網本体(20)に外力が掛かってもずれにくい。
【００１６】
（第二の発明）
第二の発明もまた、袋状の網本体(20)と、その網本体(20)の開口縁へ形成した多数の吊り輪部(21,21,21,・・・)を貫通するライナー(30)と、そのライナー(30)を固定する環状フレーム(10)と、を備える玉網に係る。
前記の環状フレーム(10)は、長手方向に垂直な断面形状が網本体(20)側を開放した挿入口(11)を備えるとともに、その挿入口(11)が形成した空間の内側の面には、環状フレーム(10)の長手方向に沿って多数の凹凸部(15)を備え、  その凹凸部(15)は、環状フレーム(10)に固定されたライナー(30)および吊り輪部(21,21,21,・・・)に接触して動きにくくするような形状として形成した。
【００１７】
「凹凸部(13)」とは、接触するライナー(30)および吊り輪部(21,21,21,・・・)が環状フレーム(10)の長手方向をずれにくくする形状である。具体的には、蛇腹、ディンプル、などである。
【００１８】
（作用）
網本体(20)の開口縁へ形成した多数の吊り輪部(21,21,21,・・・)に対しては、ライナー(30)を貫通させる。網本体(20)を吊り下げたライナー(30)を、環状フレーム(10)の挿入口(11)から挿入し、ライナー(30)および吊り輪部(21,21,21,・・・)に凹凸部(15)を接触させる。ライナー(30)および吊り輪部(21,21,21,・・・)は、環状フレーム(10)に対してずれにくくなる。以上のように、製造は簡単である。
環状フレーム(10)へ収納されたライナー(30) および吊り輪部(21,21,21,・・・)は、凹凸部(15)に接触するので、環状フレーム(10)に対して網本体(20)がずれにくい。  また、吊り輪部(21,21,21,・・・)において、外力が掛かる部位は環状フレーム(10)に守られているので、経年変化の影響も起きにくい。
【００１９】
（第二の発明のバリエーション１）
第二の発明についても、  前記のライナー(30)には、環状フレーム(10)の凹部(12)に収納された状態でライナー(30)の弛みを取る締め上げ具(35)を備えると、より好ましい。
【００２０】
（第二の発明のバリエーション２）
第二の発明についても、前記のライナー(30)の長手方向には、凸部を多数設けることとすると、より好ましい。
【発明の効果】
【００２１】
第一の発明および第二の発明によれば、環状フレームに対して網がずれにくく、製造も簡単に行え、経年変化の影響も起きにくい玉網を提供することができた。
【図面の簡単な説明】
【００２２】
【図１】本発明に係る第一の実施形態を示す組立斜視図である。
【図２】第一の実施形態における部分拡大図である。
【図３】（ａ）、（ｂ）および（ｃ）は、部分拡大断面図であって組立手順を示す。（ｄ）は、ライナーを締め付けた状態を示す平面概念図である。
【図４】網を中心に見た部分拡大図である。
【図５】本発明に係る第二の実施形態を示す部分拡大図である。
【図６】本発明に係る第三の実施形態を示す部分拡大図である。
【図７】ライナーのバリエーションを示す平面図（ａ）および断面図（ｂ）である。
【図８】ライナーのバリエーションを示す平面図（ａ）および断面図（ｂ）である。
【図９】環状フレームのバリエーションを示す断面図（ａ）および平面図（ｂ）である。
【図１０】図８に示すライナーを採用した場合の環状フレームのバリエーションを示す平面図である。
【発明を実施するための形態】
【００２３】
以下、本発明の実施形態について図面を参照して説明する。ここで使用する図面は、図１から図１０である。
【００２４】
（第一の実施形態）
第一の実施形態に掛かる玉網は、鮎釣りなどに用いる玉網である。  図1に示すように、袋状の網本体２０と、その網本体２０の開口縁へ形成した多数の吊り輪部２１，２１，２１，・・・を貫通するライナー３０と、吊り輪部２１，２１，２１，・・・を吊り下げた状態のライナー３０をはめ込む環状フレーム１０と、フレーム１０にはめ込まれたライナー３０の輪を絞ることで環状フレーム１０へライナー３０を固定するための締め上げ具３５と、ライナー３０をはめ込んだ環状フレーム１０の端部にはめ込まれる取っ手４０と、を備える。
【００２５】
図２に示すように、環状フレーム１０は、長手方向に垂直な断面形状が網本体２０側（図２における下方側）を開放した挿入口１１を備えるとともに、その挿入口１１から連続して網本体２０の内側（図２における右上側）に向かう凹部１２を備える。
ライナー３０には、その長手方向を横切る溝が等間隔に設けられている。これは、結束バンドとして機能する締め上げ具３５のラチェット用の溝である。図４（ａ）に示すように、このライナー３０の溝に、網本体２０の吊り輪部２１が引っ掛かっていく。網本体２０に横方向の外力が加わっても、吊り輪部２１の位置は変わりにくいため、網本体２０が環状フレーム１０に対してずれにくい。また、吊り輪部２１，２１，２１，・・・において、外力が掛かる部位が環状フレーム１０に守られているので、経年変化の影響も起きにくい。
【００２６】
図３（ａ）、（ｂ）に示すように、挿入口１１における開口寸法は、ライナー３０における長手方向に垂直な断面形状における最小寸法、すなわち幅寸法よりも若干大きく形成してある。また、凹部１２は、吊り輪部２１，２１，２１，・・・を貫通したライナー３０を収納可能な縦寸法および横寸法を備えている。
吊り輪部２１，２１，２１，・・・を吊り下げた状態のライナー３０は、環状フレーム１０の挿入口１１から挿入し、図３（ｃ）、（ｄ）に示すように、締め上げ具３５にて弛みを取られる。これによって、網本体２０は、安定して環状フレーム１０へ固定されることとなる。組み立て作業が簡単である。
【００２７】
（第二の実施形態）
図５に示す第二の実施形態は、第一の実施形態と以下の二点が異なる。
第一に、環状フレーム１０Ａの断面形状である。この環状フレーム１０Ａは、第一の実施形態に係る環状フレーム１０にあった凹部を備えていない一方、内側の側面に凹凸面１３を備えている。  第二に、ライナーが数珠状ライナー３０Ａとなっている。
数珠状ライナー３０Ａは、網本体２０の吊り輪部２１を貫通し、環状フレーム１０Ａの凹凸面１３Ａに密着することで、網本体２０を環状フレーム１０へ安定的に固定する。
【００２８】
（第三の実施形態）
図６に示す第三の実施形態もまた、第一の実施形態とは、環状フレーム１０Ｂの断面形状とライナー３０Ｂが蛇腹状である点が異なる。
この環状フレーム１０Ｂの内側の側面に凹凸面１３は、蛇腹ライナー３０Ｂが密着しやすい凹凸面となっている。
【００２９】
ライナーのバリエーションは、図７および図８にも示す。
図７に示す蛇腹ライナー３０Ｃは、凹凸の間隔が広い。
図８に示す蛇腹ライナー３０Ｄは、蛇腹の凹凸が角張っている。
【００３０】
環状フレーム１０Ｂの内側の側面に凹凸面１３についてのバリエーションは、図９および図１０に示す。
図９（ａ）には、図７に示した蛇腹ライナー３０Ｃを採用した場合の環状フレーム１０の断面形状を示している。また図９（ｂ）には、内側の側面に凹凸面１３Ａを示している。
図１０は、図８に示した蛇腹ライナー３０Ｄを採用した場合の環状フレーム１０の凹凸面１３Ｂを示している。
【産業上の利用可能性】
【００３１】
本発明は、釣り具や昆虫関連の製造業、釣り具のレンタル業、アウトドアスポーツのインストラクター事業などにおいて、利用可能性を有する。
【符号の説明】
【００３２】
１０；  環状フレーム            １０Ａ；環状フレーム
１０Ｂ；環状フレーム
１１；  開口                    １２；  凹部
１３；  凹凸面                  １３Ａ；凹凸面
１３Ｂ；凹凸面
２０；  網本体                  ２１；  吊り輪部
３０；  ライナー                ３０Ａ；数珠状ライナー
３０Ｂ；蛇腹ライナー            ３０Ｃ；蛇腹ライナー
３０Ｄ；蛇腹ライナー
３５；  締め上げ具
４０；  取っ手
【図１】
2014193130.tif 000003
【図２】
2014193130.tif 000004
【図３】
2014193130.tif 000005
【図４】
2014193130.tif 000006
【図５】
2014193130.tif 000007
【図６】
2014193130.tif 000008
【図７】
2014193130.tif 000009
【図８】
2014193130.tif 000010
【図９】
2014193130.tif 000011
【図１０】
2014193130.tif 000012